(57)【要約】【課題】店に備え付けられた買い物用カゴからポリエチレンの袋への詰め替え作業を回避することができるキャリーバッグを提供する。【解決手段】キャリーバッグ１０は、矩形状の剛性材料からなる底面部１１と、底面部の四辺から上方に延びる可撓性材料からなる４つの側面部１２と、相互に隣接する側面部の間に取り付けられ、相互に隣接する側面部を解除自在に結合させる４個のファスナー１５と、を備えており、底面部１１は、商店に備え付けられている買い物専用カゴ２０に装填し得る大きさを有している。買い物専用カゴ２０の中にキャリーバッグ１０を予め装填しておき、その中に精算が終了した商品を順次詰め込む。【選択図】図２
0003126575.tif 000002
【実用新案登録請求の範囲】
【請求項１】
矩形状の剛性材料からなる底面部と、
前記底面部の四辺から上方に延びる可撓性材料からなる４つの側面部と、
前記４つの側面部のうちの少なくとも一つの上端に取り付けられた把手と、
前記４つの側面部のうち相互に隣接する側面部の間に取り付けられ、前記相互に隣接する側面部を解除自在に結合させる４個の締結部材と、
を備えるキャリーバッグ。
【請求項２】
前記締結部材はファスナーであることを特徴とする請求項１に記載のキャリーバッグ。
【請求項３】
前記底面部は、商店に備え付けられている買い物専用のカゴに装填し得る大きさを有していることを特徴とする請求項１または２に記載のキャリーバッグ。
【請求項４】
前記底面部の下面に取り付けられた少なくとも２個の車輪をさらに備えることを特徴とする請求項１乃至３の何れか一項に記載のキャリーバッグ。
【考案の詳細な説明】
【技術分野】
【０００１】
本考案はキャリーバッグに関し、特に、買い物時に買い物カゴとして代用することができるキャリーバッグに関する。
【背景技術】
【０００２】
スーパーマーケットでの買い物においては、スーパーマーケットに備え付けられた買い物用カゴ（一般的には、プラスチック製）に商品を入れ、買い物用カゴごとレジに持ち込んで料金を支払い、その後、スーパーマーケットから配布されたポリエチレンの袋に商品を入れ換えることが行われている。
【０００３】
購入した商品の清算時には、スーパーマーケットの店員が買い物カゴから商品を一つ一つ取り出し、バーコードリーダーを介して、値段を読み取った後、別の空いている第二の買い物用カゴに詰めていくことが一般的に行われている。
【０００４】
消費者は第二の買い物用カゴから購入した商品をポリエチレンの袋に詰め替えることになる。
【０００５】
この買い物用カゴからポリエチレンの袋への商品の入れ換えは手間がかかる作業であると同時に、時間がかかる作業でもあった。
【考案の開示】
【考案が解決しようとする課題】
【０００６】
本考案はこのような問題点に鑑みてなされたものであり、店に備え付けられた買い物用カゴからポリエチレンの袋への詰め替え作業を回避することができるキャリーバッグを提供することを目的とする。
【課題を解決するための手段】
【０００７】
以下に、「考案の実施の形態」において使用される参照符号を用いて、上述の課題を解決するための手段を説明する。これらの参照符号は、「実用新案登録請求の範囲」の記載と「考案の実施の形態」の記載との間の対応関係を明らかにするためにのみ付加されたものであり、「実用新案登録請求の範囲」に記載されている考案の技術的範囲の解釈に用いるべきものではない。
【０００８】
上記の目的を達成するため、本考案は、矩形状の剛性材料からなる底面部（１１）と、前記底面部（１１）の四辺から上方に延びる可撓性材料からなる４つの側面部（１２）と、前記４つの側面部（１２）のうちの少なくとも一つの上端に取り付けられた把手（１３）と、前記４つの側面部（１２）のうち相互に隣接する側面部（１２）の間に取り付けられ、前記相互に隣接する側面部（１２）を解除自在に結合させる４個の締結部材（１５）と、を備えるキャリーバッグ（１０）を提供する。
【０００９】
締結部材としては、例えば、ファスナー（１５）を用いることができる。
【００１０】
前記底面部（１１）は、商店に備え付けられている買い物専用のカゴ（２０）に装填し得る大きさを有していることが好ましい。
【００１１】
キャリーバッグ（１０）は、前記底面部（１１）の下面に取り付けられた少なくとも２個の車輪（１４）をさらに備えることが好ましい。
【考案の効果】
【００１２】
本考案に係るキャリーバッグの底面部はスーパーマーケットなどの商店に備え付けられている買い物専用カゴに装填することが可能である。このため、本考案に係るキャリーバッグを買い物専用カゴの中に装填すれば、スーパーマーケットなどで購入した商品をそのままキャリーバッグの中に詰めることが可能である。このため、従来のように、買い物専用カゴからポリエチレンの袋への詰め替え作業を行う必要をなくすことができる。
【００１３】
さらに、本考案に係るキャリーバッグを用いることにより、スーパーマーケットなどで買い物時に配布される、購入商品を詰め込む袋としてのポリエチレンの袋を使用する必要もなくなり、省資源にも貢献することができる。
【考案を実施するための最良の形態】
【００１４】
図１は本考案の一実施形態に係るキャリーバッグ１０の斜視図であり、図２は本考案の一実施形態に係るキャリーバッグ１０を展開した状態の斜視図である。
【００１５】
以下、図１及び図２を参照して、本考案の一実施形態に係るキャリーバッグ１０を説明する。
【００１６】
本実施形態に係るキャリーバッグ１０は、矩形状の底面部１１と、底面部１１の四辺から上方に延びる四個の側面部１２と、を備えている。
【００１７】
四個の側面部１２のうち、相互に対向する二つの側面部１２の上端には把手１３が取り付けられている。
【００１８】
底面部１１は、金属、木その他の剛性材料からなり、例えば、その周囲は布で巻かれている。
【００１９】
これに対して、四個の側面部１２は布、レザー、軟性の樹脂などの可撓性材料でつくられている。このため、四個の側面部１２は撓み、あるいは、屈曲することが可能である。
【００２０】
底面部１１の下面（側面部１２が形成されている面とは反対側の面）には２個の車輪（例えば、キャスターなど）が同一方向に取り付けられている（図１及び図２においては、１個のみ図示）。
【００２１】
四つの側面部１２のうち相互に隣接する側面部の間には、締結部材としてのファスナー１５が取り付けられており、ファスナー１５を介して、相互に隣接する側面部１２を結合させたり（図１に示す状態）、あるいは、相互に隣接する側面部１２の結合を解除したり（図２に示す状態）することが可能である。
【００２２】
ファスナー１５による側面部１２相互間の結合を解除した場合には、側面部１２は可撓性材料でつくられているため、図２に示すように、各側面部１２は垂れ下がった状態になる。
【００２３】
底面部１１は、スーパーマーケットなどの商店に備え付けられている買い物専用のカゴ２０の中に装填し得る大きさを有している。
【００２４】
一般的に、スーパーマーケットなどの商店に備え付けられている買い物専用カゴ２０は、長方形状の底面部２１と、底面部２１から外側にやや傾斜して延びる四個の側面部２２と、側面部２２の上端に回動可能に取り付けられた一対の把手２３と、から形成されており、どのスーパーマーケットに備え付けられている買い物専用カゴも同じ大きさである。
【００２５】
キャリーバッグ１０の底面部１１の大きさは買い物専用カゴ２０の底面部２１よりもやや小さく設定されている。このため、キャリーバッグ１０は買い物専用カゴ２０の中に装填することが可能である。
【００２６】
以下、本実施形態に係るキャリーバッグ１０の使用方法を説明する。
【００２７】
各側面部１２をファスナー１５を介して相互に結合した状態では、図１に示すように、本実施形態に係るキャリーバッグ１０は通常のキャリーバッグとして使用することができる。
【００２８】
本実施形態に係るキャリーバッグ１０をポリエチレンの買い物袋の代用品として使用する場合には、まず、スーパーマーケットなどの商店に備え付けられている買い物専用カゴ２０（以下、「第一の買い物専用カゴ２０」と呼ぶ）の中に購入する商品を入れ、レジに持ち込む。
【００２９】
次いで、空いている他の買い物専用カゴ２０（以下、「第二の買い物専用カゴ２０」と呼ぶ）の中に、各側面部１２がファスナー１５を介して相互に結合されている状態（図１に示す状態）のキャリーバッグ１０を収納する。
【００３０】
次いで、ファスナー１５を開き、隣接する側面部１２の間の結合を解除する。これにより、図３に示すように、各側面部１２の上方部分が第二の買い物専用カゴ２０の側面部２２に沿って側面部２２の外側に垂れ下がる状態となる。このため、キャリーバッグ１０には開口１６が形成される。
【００３１】
その後、第一の買い物専用カゴ２０から取り出され、値段が読み出された商品を順次、開口１６を介して、第二の買い物専用カゴ２０内のキャリーバッグ１０内に移していく。
【００３２】
精算の終了後、ファスナー１５を閉じれば、キャリーバッグ１０は、図１に示すように、持ち運び可能な状態になり、購入した商品を内部に入れて、持ち運ぶことができる。この場合、車輪１４を利用することにより、少ない力でキャリーバッグ１０を運ぶことができる。
【００３３】
以上のように、本実施形態に係るキャリーバッグ１０によれば、スーパーマーケットなどで購入した商品をそのまま詰めることが可能である。このため、従来のように、買い物専用カゴ２０からポリエチレンの袋への詰め替え作業を行う必要をなくすことができる。
【００３４】
さらに、本実施形態に係るキャリーバッグ１０を用いることにより、スーパーマーケットなどで買い物時に配布される、購入商品を詰め込む袋としてのポリエチレンの袋を使用する必要もなくなり、省資源にも貢献することができる。
【００３５】
なお、本実施形態に係るキャリーバッグ１０においては、底面部１１の下面に２個の車輪１４を取り付けたが、底面部１１の４隅に４個の車輪１４を取り付けることも可能である。あるいは、車輪１４は取り付けなくてもよい。
【００３６】
また、ファスナー１５は、各側面部１２の全長にわたって形成されることは必ずしも必要ではなく、各側面部１２の上端から一定の長さにのみわたって形成することも可能である。
【００３７】
さらに、本実施形態に係るキャリーバッグ１０においては、各側面部１２を解除自在に結合させる締結部材としてファスナー１５を用いたが、他の締結部材を選択することも可能である。例えば、ファスナー１５に代えて、面ファスナーを用いることも可能である。相互に隣接する二つの側面部１２を解除自在に結合することができる部材であれば、いかなる部材をも使用することが可能である。
【図面の簡単な説明】
【００３８】
【図１】本考案の一実施形態に係るキャリーバッグの斜視図である。
【図２】本考案の一実施形態に係るキャリーバッグを展開した状態の斜視図である。
【図３】本考案の一実施形態に係るキャリーバッグを買い物用カゴに入れたときの断面図である。
【符号の説明】
【００３９】
１０  本考案の一実施形態に係るキャリーバッグ
１１  底面部
１２  側面部
１３  把手
１４  車輪
１５  ファスナー
１６  開口
２０  買い物専用カゴ
【図１】
0003126575.tif 000003
【図２】
0003126575.tif 000004
【図３】
0003126575.tif 000005